(57)【要約】【課題】簡単な操作で魚の口を掴むことができる魚掴み器を提供する。【解決手段】魚の口を掴むべく開閉する一対の掴み歯２，３と、第一の位置と第二の位置との間を移動可能な操作部材４とを備え、操作部材４が第一の位置に位置する状態では一対の掴み歯２，３は開状態にあって操作部材４が第二の位置に位置する状態では一対の掴み歯２，３は閉状態にあり、操作部材４における第一の位置と第二の位置との間の途中位置を境にして付勢方向が反転するバネ７を備えており、第一の位置側においてはバネ７は操作部材４に第一の位置側への付勢力を付与し、第二の位置側においてはバネ７は操作部材４に第二の位置側への付勢力を付与する。【選択図】図１
2018186791.tif 000002
【特許請求の範囲】
【請求項１】
魚の口を掴むための魚掴み器であって、
少なくとも一方が可動歯であって魚の口を掴むべく開閉する一対の掴み歯と、第一の位置と第二の位置との間を移動可能な操作部材とを備え、操作部材が第一の位置に位置する状態では一対の掴み歯は開状態にあって操作部材が第二の位置に位置する状態では一対の掴み歯は閉状態にあり、
操作部材における第一の位置と第二の位置との間の途中位置を境にして付勢方向が反転するバネを備えており、第一の位置側においてはバネは操作部材に第一の位置側への付勢力を付与し、第二の位置側においてはバネは操作部材に第二の位置側への付勢力を付与することを特徴とする魚掴み器。
【請求項２】
バネは、二つのアーム間の開き角度を変化させる構成の捻りバネであり、バネは、操作部材の移動に伴って相対的に回動する二つの部材間に配置されて、バネの第一のアームが一方の部材に回動可能に連結され且つバネの第二のアームが他方の部材に回動可能に連結されている請求項１記載の魚掴み器。
【請求項３】
一対の掴み歯は前端部に設けられ、操作部材は一対の掴み歯に対して後側に位置しており、操作部材の第一の位置は相対的に前側にあって第二の位置は相対的に後側にあり、操作部材を後側に引くことにより、操作部材が第二の位置となって一対の掴み歯が閉状態となる請求項１又は２記載の魚掴み器。
【請求項４】
操作部材の後側に把持部を備えており、操作部材は、把持部を把持した手の指で引き操作を行うことができる指掛け部と、把持部を把持した手の指で押し操作を行うことができる押し部とを備えている請求項３記載の魚掴み器。
【請求項５】
一対の掴み歯の開閉動作と操作部材の移動動作とを連動させる伝動機構を備え、操作部材が第二の位置に位置する状態では一対の掴み歯は開き方向への移動が規制され、操作部材が第一の位置に向けて操作されることにより一対の掴み歯の開き方向への移動規制が解除される請求項１乃至４の何れかに記載の魚掴み器。
【請求項６】
伝動機構はリンク機構を備えており、操作部材はリンク機構を構成する部材であり、リンク機構は四節リンク機構の近似直線運動機構であって、操作部材は第一の位置と第二の位置との間を近似直線運動を行う請求項５記載の魚掴み器。
【発明の詳細な説明】
【技術分野】
【０００１】
本発明は、魚の口を掴むための魚掴み器に関する。
【背景技術】
【０００２】
釣った魚の口を掴むための魚掴み器として、例えば下記特許文献１所載のものが公知である。該魚掴み器では、バネが狭持部材を開き方向に付勢していて、狭持部材の握り部をバネの付勢力に抗して強く握ることで狭持部材を閉じて魚の口を掴むことができる。そして、ロック手段としてのロックピンを差し込むことで、狭持部材の閉じ状態をロックピンによって維持する構成となっており、手で狭持部材の握り部を強く握り続けなくてもロックピンによって狭持部材の閉じ状態を維持することができる。しかしながら、狭持部材の握り部をバネの付勢力に抗して強く握った状態で更にロックピンを挿入するという操作が必要であり、操作が複雑である。
【０００３】
また、下記特許得文献２所載の魚掴み器も同様に、回動する構成のレバーをバネの付勢力に抗して強く握ることで刃が閉じる構成となっている。そして、レバーをバネの付勢力に抗して握った状態でねじを回転操作してねじ込むことで、レバーの閉じた状態が保持されて刃の閉じ状態が維持できるようになっている。しかしながら、この魚掴み器においてもレバーをバネの付勢力に抗して強く握った状態でねじを回転操作してねじ込むことが必要であり、操作が複雑である。
【０００４】
一方、下記特許文献３，４所載の魚掴み器では、操作具を引き上げ操作することで可動歯が開くようになっている。この魚掴み器では、可動歯はバネによって閉じ側に付勢されており、使用者はバネの付勢力に抗して操作具を引き上げることになる。従って、可動歯が開いた状態を維持するためには、使用者はバネの付勢力に抗して操作具を引き上げ続ける必要がある。釣り上げた魚は暴れることが多く、口を簡単には開かなかったりもするため、魚の口を瞬時に可動歯で掴むことは容易ではないが、そのような状況において使用者は強いバネの付勢力に抗して操作具を引き続ける必要があって、大きな労力が必要である。
【０００５】
また、下記特許文献５所載の魚掴み器では、作動部材を後側に引くのではなく前側に押すことで一対の狭持部材が開く構成が記載されている。この魚掴み器では、作動部材はバネによって後側に付勢されている。従って、狭持部材が開いた状態を維持するためには、使用者はバネの付勢力に抗して作動部材を押し続ける必要があり、やはり大きな労力を伴う。
【先行技術文献】
【特許文献】
【０００６】
【特許文献１】特開２００２−４５０９８号公報
【特許文献２】実開平５−７８号公報
【特許文献３】特開２００８−２８３９１５号公報
【特許文献４】特開２０１０−４８１６号公報
【特許文献５】特開２０１１−３０５３９号公報
【発明の概要】
【発明が解決しようとする課題】
【０００７】
それゆえに本発明は、簡単な操作で魚の口を掴むことができる魚掴み器を提供することを課題とする。
【課題を解決するための手段】
【０００８】
本発明は上記課題を解決すべくなされたものであって、本発明に係る魚掴み器は、魚の口を掴むための魚掴み器であって、少なくとも一方が可動歯であって魚の口を掴むべく開閉する一対の掴み歯と、第一の位置と第二の位置との間を移動可能な操作部材とを備え、操作部材が第一の位置に位置する状態では一対の掴み歯は開状態にあって操作部材が第二の位置に位置する状態では一対の掴み歯は閉状態にあり、操作部材における第一の位置と第二の位置との間の途中位置を境にして付勢方向が反転するバネを備えており、第一の位置側においてはバネは操作部材に第一の位置側への付勢力を付与し、第二の位置側においてはバネは操作部材に第二の位置側への付勢力を付与することを特徴とする。
【０００９】
該構成の魚掴み器において一対の掴み歯を開いた状態から閉じた状態とする場合、使用者は、操作部材を第一の位置から第二の位置側に向けて操作する。操作部材が途中位置に対して第一の位置側に位置しているとき、バネは操作部材を第一の位置側に付勢する。そのため、使用者はバネの付勢力に抗して操作部材を途中位置まで操作することになる。操作部材が途中位置を越えて第二の位置側に位置すると、バネの付勢方向が反転して、バネは操作部材を第二の位置側に付勢する。従って、操作部材が途中位置を第二の位置側に越えると、使用者は操作部材をバネの付勢力に抗して強い力で操作して第二の位置側に移動させる必要がなく、また、操作部材を強い力で第二の位置に保持し続ける必要がない。逆に、一対の掴み歯を閉じた状態から開いた状態とする場合、使用者は、操作部材を第二の位置から第一の位置側に向けて操作する。その際にもバネの付勢方向が途中位置を境にして反転するので、使用者は途中位置まではバネの付勢力に抗して操作部材を操作することになるが、それ以降は操作部材をバネの付勢力に抗して強い力で操作して第一の位置側に移動させる必要がなく、また、操作部材を強い力で第一の位置に保持し続ける必要がない。そして、一対の掴み歯を閉じる場合と開く場合の何れの場合においても、使用者が自らの意思で操作部材を途中位置まで操作させることが必要であり、使用者の意思に反してバネが一対の掴み歯を閉じたり開いたりするということがない。
【００１０】
特に、バネは、二つのアーム間の開き角度を変化させる構成の捻りバネであり、バネは、操作部材の移動に伴って相対的に回動する二つの部材間に配置されて、バネの第一のアームが一方の部材に回動可能に連結され且つバネの第二のアームが他方の部材に回動可能に連結されていることが好ましい。該構成では、バネは、操作部材の移動に伴って、第一のアームと一方の部材との連結箇所を支点として回動することができると共に第二のアームと他方の部材との連結箇所を支点としても回動することができる。そのため、操作部材の途中位置においてバネが回動しつつその付勢方向を容易に反転できる。
【００１１】
また、一対の掴み歯は前端部に設けられ、操作部材は一対の掴み歯に対して後側に位置しており、操作部材の第一の位置は相対的に前側にあって第二の位置は相対的に後側にあり、操作部材を後側に引くことにより、操作部材が第二の位置となって一対の掴み歯が閉状態となることが好ましい。このように操作部材を後側に引く操作によって一対の掴み歯が閉状態となると、操作部材を前側に押す操作によって一対の掴み歯が閉状態となる構成に比して、使用者の自然な感覚により一層近く、違和感が少なくなる。また、開いた状態の一対の掴み歯がバネの付勢力によって勝手に閉じ始めるのではなく、使用者が操作部材を第一の位置から第二の位置側に向けて操作開始することによって一対の掴み歯が閉じ始めるので、使用者の意思が確実に反映される。即ち、一対の掴み歯がバネの付勢力によって強制的に閉状態になる構成においては、使用者が操作部材から手を離すとバネの付勢力によって一対の掴み歯が自動的に閉状態となる。そのため、例えば使用者の手が滑ったりした場合には一対の掴み歯が不意に閉状態となって魚の口を掴み損ねるおそれがある。これに対して、使用者が操作部材を後側に引くことによって一対の掴み歯が閉状態となるので、使用者の意思に基づいて一対の掴み歯を閉状態とすることができ、魚の口を確実に掴むことができる。
【００１２】
更に、操作部材の後側に把持部を備えており、操作部材は、把持部を把持した手の指で引き操作を行うことができる指掛け部と、把持部を把持した手の指で押し操作を行うことができる押し部とを備えていることが好ましく、把持部を把持した手で引き操作と押し操作を行うことができ、片手操作で済む。
【００１３】
特に、把持部を把持した手の人差し指で指掛け部を後側に引き、把持部を把持した手の親指で押し部を前側に押す構成とされていると、把持部を把持した手の人差し指と親指によって引き操作と押し操作のそれぞれを容易に行うことができ、操作性がより一層向上する。
【００１４】
また、一対の掴み歯の開閉動作と操作部材の移動動作とを連動させる伝動機構を備え、操作部材が第二の位置に位置する状態では一対の掴み歯は開き方向への移動が規制され、操作部材が第一の位置に向けて操作されることにより一対の掴み歯の開き方向への移動規制が解除されることが好ましく、魚が暴れても魚の口を確実に掴み続けることができる。
【００１５】
特に、操作部材はリンク機構を構成しており、該リンク機構は四節リンク機構の近似直線運動機構であって、操作部材は第一の位置と第二の位置との間を近似直線運動を行うことが好ましく、より一層スムーズに操作部材を操作できる。
【発明の効果】
【００１６】
以上のように、操作部材における第一の位置と第二の位置との間の途中位置でバネの付勢方向が反転するので、使用者が操作部材を強い力で第一の位置や第二の位置に保持し続ける必要がない。従って、簡単な操作で魚の口を掴むことができる。
【図面の簡単な説明】
【００１７】
【図１】本発明の第一の実施形態における魚掴み器の開状態を示す正面図。
【図２】同魚掴み器の途中状態を示す正面図。
【図３】同魚掴み器の閉状態を示す正面図。
【図４】同魚掴み器を載置した状態を示す正面図。
【図５】同魚掴み器に用いられているバネを示す斜視図。
【図６】本発明の第二の実施形態における魚掴み器の開状態を示す正面図。
【図７】同魚掴み器の途中状態を示す正面図。
【図８】同魚掴み器の閉状態を示す正面図。
【図９】本発明の第三の実施形態における魚掴み器の閉状態を示す要部正面図。
【図１０】同魚掴み器の閉状態を示す要部正面図であって、操作部材を第二の位置から第一の位置側に移動させている途中の状態を示す。
【図１１】同魚掴み器の閉状態を示す要部正面図であって、操作部材を第二の位置から第一の位置側に移動させている途中の状態を示す。
【図１２】同魚掴み器の開状態を示す正面図。
【図１３】本発明の第四の実施形態における魚掴み器の開状態を示す正面図。
【図１４】同魚掴み器の閉状態を示す正面図。
【発明を実施するための形態】
【００１８】
＜第一の実施形態＞
以下、本発明の第一の実施形態に係る魚掴み器について図１〜図５を参酌しつつ説明する。本実施形態における魚掴み器は、本体１と、魚の口を掴むための一対の掴み歯２，３と、本体１に対して移動可能に設けられた操作部材４と、本体１と操作部材４にそれぞれ回動可能に連結された揺動カム５及び後リンク６と、一対の掴み歯２，３及び操作部材４に付勢力を付与するバネ７とを備えている。操作部材４は、一対の掴み歯２，３を開閉させるために操作されるものであって、操作部材４と一対の掴み歯２，３は伝動機構によって連動し、本実施形態において伝動機構はカム機構とリンク機構とから構成されている。
【００１９】
魚掴み器は、前端部に設けられた一対の掴み歯２，３によって魚の口を掴むものであって、魚の口の下顎あるいは上顎を一対の掴み歯２，３で掴むものである。図１は一対の掴み歯２，３が最大に開いた状態即ち開状態を示し、図３は一対の掴み歯２，３が閉じた状態即ち閉状態を示し、図２は開状態と閉状態との間の途中状態であって後述するバネ７の付勢方向が反転するときの境界状態を示している。
【００２０】
魚掴み器は、全体として前後方向に長い本体１を備えており、その本体１の前端部に一対の掴み歯２，３が設けられていると共にその後端部には把持部１２が設けられている。本体１の長手方向を前後方向とし、一対の掴み歯２，３が位置する側を前側とし、把持部１２が位置する側を後側とする。また、一対の掴み歯２，３の開閉方向を上下方向とし、一対の掴み歯２，３が開閉する面に対して法線方向を左右方向とする。一対の掴み歯２，３は双方共に可動する構成の可動歯であってもよいが、本実施形態ではそのうちの一方のみが可動歯であって他方は可動しない固定歯として構成されている。即ち、一方の掴み歯が本体１に対して可動する可動歯であって他方の掴み歯が本体１に対して可動せずに固定の構成とされた固定歯とされている。そして、固定歯側を上側とし可動歯側を下側として以下説明する。
【００２１】
＜上側の掴み歯２＞
固定歯である上側の掴み歯２は、本体１の前端部の上部に設けられている。該上側の掴み歯２は、本体１と別体の構成とされてネジ等によって本体１に取り付けられた構成であってもよいし、本体１と一つの部材として一体的に形成された構成であってもよく、本実施形態では後者の構成即ち本体１と一体的に形成された構成とされている。上側の掴み歯２はその基端部（後端部）から先端部２ａ（前端部）にかけて上側に向けて湾曲した形状となっており、その先端部２ａは下側を向いている。
【００２２】
＜本体１＞
本体１は前後方向の中央部に位置する主部と、該主部から前側に伸びる上側の掴み歯２と、主部から後側に延びる把持部１２とを備えている。主部は、上下方向の寸法が大きい前側主部１０と、該前側主部１０よりも上下方向の寸法が小さい後側主部１１とから構成されている。前側主部１０の上面と後側主部１１の上面は段差なく前後方向に滑らかに連続している。一方、前側主部１０の下面に対して後側主部１１の下面は一段上側に位置しており、その結果、後側主部１１は前側主部１０に対して上下方向の寸法が小さくなっている。把持部１２は後側主部１１から後側に向けて延びている。把持部１２の上面と後側主部１１の上面は段差なく前後方向に滑らかに連続している一方、把持部１２の下面は後側主部１１の下面に対して一段下側に位置しており、従って、把持部１２は後側主部１１よりも上下方向の寸法が大きい。把持部１２は後側に向けて下側となるように傾斜している。また、前側主部１０から把持部１２にかけて全体として上側凸に湾曲した形状となっている。
【００２３】
＜下側の掴み歯３＞
可動歯である下側の掴み歯３はその基端側に位置する第一の回動支軸２０を支点として上下に回動する構成となっている。第一の回動支軸２０は本体１に取り付け固定されている。第一の回動支軸２０は前側主部１０の前端部近傍に位置している。第一の回動支軸２０は左右方向に沿っており、従って、下側の掴み歯３は左右方向の軸線まわりに所定角度範囲内で上下に回動する。下側の掴み歯３の全体のうち第一の回動支軸２０よりも前側に延びた部分を歯主部３０と称することとする。下側の掴み歯３の歯主部３０は上側の掴み歯２と上下対称形状となっていて、基端部から先端部３ａにかけて下側に向けて湾曲した形状となっており、その先端部３ａは上側を向いている。
【００２４】
上側の掴み歯２の先端部２ａと下側の掴み歯３の先端部３ａは、一対の掴み歯２，３が閉状態、即ち、下側の掴み歯３が上側に回動して閉じた状態において、互いに上下に対向すると共に互いに接触する。上側の掴み歯２と下側の掴み歯３は閉状態において互いの先端部２ａ，３ａのみが当接し他の部分は離間した状態にある。上側の掴み歯２の先端部２ａの下面と下側の掴み歯３の先端部３ａの上面は何れも平面となっていて、それぞれが当接面となって互いに上下に面接触する。閉状態において上側の掴み歯２の先端部２ａと下側の掴み歯３の先端部３ａが当接した当接箇所と正面視において同一線上に第一の回動支軸２０が位置する。但し、上側の掴み歯２の先端部２ａの下面と下側の掴み歯３の先端部３ａの上面は平面ではなく前後方向に湾曲した曲面であってもよい。何れにしても、図３のような閉状態の正面視において、上側の掴み歯２と下側の掴み歯３の先端部２ａ，３ａ同士の当接部分と第一の回動支軸２０の中心とを結ぶ直線を基準線８としたとき、この基準線８に対して上側の掴み歯２と下側の掴み歯３の歯主部３０は上下に略対称形状となっている。尚、この基準線８が前後方向に水平となる姿勢を基準姿勢とする。上側の掴み歯２の先端部２ａと下側の掴み歯３の先端部３ａにはそれぞれ後側に向けてフック状に突起が突設されていて、上側の掴み歯２の先端部２ａと下側の掴み歯３の先端部３ａは魚の口の顎に引っ掛かりやすい形状となっている。下側の掴み歯３は、閉状態から下側に向けて開き、その角度は例えば３０〜９０度である。
【００２５】
下側の掴み歯３の歯主部３０の基端側であってその下面にはフォロアー部３１が後側に向けて突出している。該フォロアー部３１は図３のような閉状態において後側に向けて略水平に突出していて、閉状態において第一の回動支軸２０の略下側に位置する。フォロアー部３１は左右方向の軸線を有する円柱形状であり、従って、その先端面（後端面）は左右方向に沿った中心線を有して所定角度で周回する周面となっている。また、下側の掴み歯３は、第一の回動支軸２０から後側に向けて延伸した延伸腕部３２を備えている。該延伸腕部３２は第一の回動支軸２０から後側に向けて上側に膨出するように湾曲しつつ延びている。そして、延伸腕部３２の後端部には下側且つ前側に傾斜しつつ突出したストッパー突部３３が突設されている。
【００２６】
第一の回動支軸２０に対して後側且つ下側に離れた位置に第二の回動支軸２１が設けられている。該第二の回動支軸２１も第一の回動支軸２０と同様に本体１に取り付け固定されていて、左右方向の軸線を有している。本体１の前側主部１０の前部下面には下側に向けて膨出部１３が膨出形成されており、該膨出部１３に第二の回動支軸２１が取り付け固定されている。
【００２７】
＜揺動カム５＞
揺動カム５は第二の回動支軸２１に回動可能に支持されている。揺動カム５はリンク機構を構成する構成部材であって、第一のリンクとして機能している。揺動カム５は第二の回動支軸２１を支点として所定角度範囲内で回動する。揺動カム５は、カム部５０とリンク部５１とを有している。閉状態において、カム部５０は前側に位置し、リンク部５１は後側に位置していて、カム部５０とリンク部５１とは略１８０度反対側に位置する。
【００２８】
カム部５０は全体として左右方向を板厚方向とする薄肉状あるいは厚肉状の板状であって、その周面の前部には第二の回動支軸２１をカムの回転中心とする板カムとしてのカム面が形成されている。カム面には下側の掴み歯３のフォロアー部３１が当接する。下側の掴み歯３はバネ７によって開き方向に常時付勢されているので、フォロアー部３１はカム面に常に当接した状態となっている。尚、カム面とフォロアー部３１との接点と第一の回動支軸２０とを結ぶ直線と、カム面とフォロアー部３１との接点と第二の回動支軸２１とを結ぶ直線との間の角度は直角あるいは直角に近い角度であって、フォロアー部３１がカム面を押す力によって揺動カム５が事実上回転しない程度の角度である。
【００２９】
カム面は、第二の回動支軸２１を中心とした第一カム面５２と第二カム面５３を有している。第一カム面５２は相対的に半径が小さくて凹面状であり、第二カム面５３は相対的に半径が大きくて凸面状である。図３のような正面視において、第一カム面５２は第二の回動支軸２１の下側に位置し、第二カム面５３は第二の回動支軸２１の前側に位置する。第一カム面５２は第二カム面５３に対して半径が急激に小さくなった領域であって、図１のような開状態においてフォロアー部３１が係合する。従って、第一カム面５２はフォロアー部３１に対応してそれに係合する凹形状となっており、フォロアー部３１は第一カム面５２に対応してそれに係合する凸形状となっている。第二カム面５３には図３のような閉状態においてフォロアー部３１が当接する。第二カム面５３は、時計回りに徐々に半径が大きくなる形状である。図２のような境界状態では第一カム面５２と第二カム面５３との間の境界部分にフォロアー部３１が当接する。
【００３０】
第二カム面５３の時計回りの進み側には半径が急に大きくなった頂上部５４が形成されている。図１のような開状態において頂上部５４の径方向外側には、下側の掴み歯３のストッパー突部３３の先端部が僅かな距離で離間して対峙する。図１のような開状態において下側の掴み歯３に閉じ側への外力が作用した場合、下側の掴み歯３のみが第一の回動支軸２０を支点として時計回りに僅かに回動するが、僅かな角度で回動すると、下側の掴み歯３のストッパー突部３３の先端部が揺動カム５の頂上部５４に当接するので、下側の掴み歯３のそれ以上の閉じ側への回動は阻止される。尚、図３のような閉状態において下側の掴み歯３のストッパー突部３３の先端部は揺動カム５の側面に当接するか僅かな隙間を介して対峙する。
【００３１】
揺動カム５のリンク部５１は細い幅で第二の回動支軸２１から径方向外側に向けて延びている。リンク部５１は、閉状態において第二の回動支軸２１に対して若干下側に傾斜した状態で後側に向けて延びている。
【００３２】
＜操作部材４＞
操作部材４は、第一の連結支軸２２を介して揺動カム５と回動可能に連結されている。詳細には、揺動カム５のリンク部５１の先端部２ａと操作部材４の前端部とが第一の連結支軸２２を介して回動可能に連結されている。第一の連結支軸２２は第一の回動支軸２０や第二の回動支軸２１と同様に左右方向の軸線を有している。操作部材４はリンク機構を構成する構成部材であって、第二のリンクとして機能している。操作部材４は、図１のような開状態においては、移動範囲のうち最も前側の位置である第一の位置に位置し、図２のような閉状態においては、移動範囲のうち最も後側の位置である第二の位置に位置する。そして、操作部材４は本体１に対して第一の位置と第二の位置との間を前後に移動可能となっている。
【００３３】
操作部材４は、図３のような正面視において全体としてＬ字状であって、前後方向に延びる連結腕部４０と、連結腕部４０の後端部の後側に延設されて連結腕部４０の後端部に対して上側に略直角に折れ曲がって延びる操作部４１とを備えている。連結腕部４０は本体１の下側に位置している。連結腕部４０の前端部が第一の連結支軸２２によってリンク部５１の先端部と回動可能に連結されている。尚、図示しないが、連結腕部４０の前端部は左右に二股状に分岐している構成であることが好ましく、その左右の間にリンク部５１の先端部が位置するように構成することが好ましい。
【００３４】
操作部４１の下部には、指掛け部として、指掛け孔４２が形成された指環部４３が設けられている。該指環部４３の指掛け孔４２には人差し指を入れることができて、操作部材４を後側に引き操作することができる。指掛け孔４２は後側主部１１よりも下側に位置しており、そのため指掛け孔４２に挿入した指は後側主部１１には干渉しない。指環部４３の下部即ち操作部４１の下端部は連結腕部４０よりも下側に膨出している。
【００３５】
操作部４１の上部には上方延在部４４が設けられている。上方延在部４４は、指環部４３の上部から上側に向けて延びている。尚、上方延在部４４は上側に向けて徐々に前後方向の寸法が小さくなった先細り形状とされているが、寸法一定で上側に延びていてもよい。操作部４１の上部即ち上方延在部４４の上部は後側主部１１の上面よりも上側に突出しており、後側主部１１から上側に突出した操作部４１の突出部４５を前側に押し操作することができる。詳細には、突出部４５の後面４５ａを親指で前側に押すことができ、本実施形態において、突出部４５の後面４５ａが押し部として構成されている。
【００３６】
＜後リンク６＞
後リンク６は、第二の連結支軸２３を介して操作部材４に回動可能に連結されている。詳細には、後リンク６の下端部と操作部材４の連結腕部４０の後端部とが第二の連結支軸２３を介して回動可能に連結されている。第二の連結支軸２３は左右方向の軸線を有する。操作部材４の操作部４１は第二の連結支軸２３よりも後側に延長された部分となっている。後リンク６は、リンク機構を構成する構成部材であって、第三のリンクとして機能している。後リンク６は、その上端部において第三の回動支軸２４を支点として本体１に回動可能に連結されている。本体１は、リンク機構を構成する構成部材であって、第四のリンクとして機能している。第三の回動支軸２４も左右方向に沿っていて本体１に取り付け固定されており、詳細には、本体１の前側主部１０の後端部近傍に位置していて、第一の回動支軸２０よりも若干下側に位置している。後リンク６は第三の回動支軸２４を支点として前後に揺動するように所定角度範囲内で回動し、図３のように閉状態では最も後側に回動した状態となり、図１のように開状態では最も前側に回動した状態となる。後リンク６は、閉状態では上下方向に沿った垂直姿勢に対して後側に小さい角度で傾斜した姿勢となり、開状態では上下方向に沿った垂直姿勢に対して前側に小さい角度で傾斜した姿勢となる。
【００３７】
＜四節リンク機構＞
このように第一の回動支軸２０、第二の回動支軸２１、第三の回動支軸２４、第一の連結支軸２２、及び第二の連結支軸２３は全て左右方向の軸線を有しており、互いに平行である。従って、本体１、下側の掴み歯３、揺動カム５、後リンク６、及び操作部材４は、全て左右方向の軸線まわりに同一平面上を相対的に回動する。そして、本体１と揺動カム５と後リンク６と操作部材４は四節リンク機構を構成している。該四節リンク機構は近似直線運動機構であり、操作部材４が第一の位置と第二の位置との間を移動する際、操作部材４の操作部４１は近似直線運動する。尚、第一の回動支軸２０と第一の連結支軸２２との間の距離は、第二の回動支軸２１と第二の連結支軸２３との間の距離よりも小さい。また、四節リンク機構と、揺動カム５のカム面とフォロアー部３１とから構成されるカム機構とにより、下側の掴み歯３の開閉動作と操作部材４の移動動作とを連動させるための伝動機構が構成されている。
【００３８】
＜バネ７＞
下側の掴み歯３と揺動カム５との間にバネ７が配置されている。図５のように、バネ７は、捻りバネであって、円筒部７０から延びた二つのアーム７１，７２を有していて、該二つのアーム７１，７２間の開き角度（アーム角）を小さくすることでバネ７の付勢力を発揮する圧縮型のバネである。即ち、アーム角が小さくなる方向が圧縮方向である。第一のアーム７１の先端部７１ａと第二のアーム７２の先端部７２ａとを結ぶ直線の延長方向にバネ７の付勢力が作用する。第一のアーム７１は円筒部７０の一端部から接線方向に延びていて第二のアーム７２は円筒部７０の他端部から接線方向に延びており、それぞれの先端部７１ａ，７２ａは円筒部７０の中心線の方向に向けて互いに逆向きで略直角に折り曲げられている。尚、本実施形態においてバネ７は右巻きタイプであるが左巻きタイプであってもよい。バネ７はその円筒部７０の中心線が左右方向となるようにして配置されている。従って、バネ７の円筒部７０と第一の回動支軸２０等とは略平行関係にある。また、バネ７の円筒部７０は本体１と揺動カム５のカム部５０との間に介在している。
【００３９】
バネ７のアーム角はフリー状態において９０度〜１８０度であって本実施形態では１３５度である。図３のような閉状態において、バネ７のアーム角は略９０度であって、図１のような開状態においてはバネ７のアーム角は略１００度であり、何れも圧縮状態にある。そして、図２のような境界状態においてはバネ７のアーム角は略７０度であって最小となっていて最も圧縮された状態にある。
【００４０】
図３の閉状態において、第一のアーム７１は円筒部７０から前側且つ上側に延びていてその先端部は左右方向の奥側に折り曲げられており、第二のアーム７２は円筒部７０から下側且つ前側に延びていてその先端部は左右方向の手前側に折り曲げられている。第一のアーム７１の先端部７１ａは下側の掴み歯３の延伸腕部３２に形成された連結孔３４に挿入されてその連結孔３４を支点として回動可能である。第二のアーム７２の先端部７２ａは揺動カム５のカム部５０に形成された連結孔５５に挿入されてその連結孔５５を支点として回動可能である。より詳細には、下側の掴み歯３の連結孔３４は延伸腕部３２の基端部即ち第一の回動支軸２０の近傍に左右方向に沿って貫通して形成されている。揺動カム５の連結孔５５は、第二の回動支軸２１と第一の連結支軸２２とを結ぶ直線の延長線上に左右方向に沿って貫通して形成されている。従って、揺動カム５の連結孔５５と第二の回動支軸２１と第一の連結支軸２２は一直線状に位置している。また、第一のアーム７１の先端部７１ａが下側の掴み歯３の連結孔３４に回転可能に支持されていることから、バネ７は下側の掴み歯３の連結孔３４を支点として下側の掴み歯３に対して相対的に回動可能である。同様に、第二のアーム７２の先端部７２ａが揺動カム５の連結孔５５に回転可能に支持されていることから、バネ７は揺動カム５の連結孔５５を支点として揺動カム５に対して相対的に回動可能である。
【００４１】
バネ７は圧縮状態で配置されているため、閉状態、開状態に関わらず下側の掴み歯３を常に開き方向に付勢している。従って、下側の掴み歯３のフォロアー部３１はバネ７の付勢力によって常に揺動カム５のカム面に押し付けられることになる。一方、バネ７は揺動カム５にも回転力を付与する。バネ７は、図３に示す閉状態では揺動カム５を反時計回りに付勢する。従って、閉状態においては操作部材４は揺動カム５を介してバネ７によって第二の位置側に付勢されることになる。図１に示す開状態では、バネ７は揺動カム５を時計回りに付勢する。従って、開状態においては操作部材４は揺動カム５を介してバネ７によって第一の位置側に付勢される。そして、図２に示す境界状態では、第一のアーム７１の先端部７１ａ（連結孔３４）と第二のアーム７２の先端部７２ａ（連結孔５５）と第二の回動支軸２１と第一の連結支軸２２が一直線状に並んだ状態となる。そのため、境界状態では、バネ７は揺動カム５を第二の回動支軸２１側に押すことになって揺動カム５に回転力を与えない。従って、境界状態においては操作部材４はバネ７によって第一の位置側、第二の位置側の何れにも付勢されない。このように図２の境界状態を境にして、操作部材４が揺動カム５を介してバネ７から付勢される方向が逆転する。
【００４２】
＜使用状態＞
次に魚掴み器の使用について説明する。図１のような開状態においては操作部材４は前側の位置である第一の位置に位置している。バネ７は揺動カム５を時計回りに付勢していて、揺動カム５に連結された操作部材４は前側に付勢されている。従って、操作部材４から手を離しても、操作部材４は第一の位置に留まっていて第二の位置側には移動しない。また、下側の掴み歯３はバネ７によって開き方向に付勢されているので、操作部材４から手を離した状態であっても、一対の掴み歯２，３の開状態は維持されている。このような開状態で把持部１２を例えば右手で把持して、上側の掴み歯２を魚の口の中に差し込んで下顎の内側に位置させ、下側の掴み歯３を下顎の外側に位置させる。
【００４３】
一対の掴み歯２，３を閉状態とするには、把持部１２を右手で把持している場合にはその右手の人差し指を指掛け孔４２に挿入して操作部材４を手前に引くように操作する。即ち、操作部材４を第一の位置側から第二の位置側に向けて移動させる。操作部材４を図１の第一の位置から図２の途中位置まで引くまでの間は、揺動カム５がバネ７によって時計回りの付勢力を受けていて操作部材４が第一の位置側に付勢されているので、そのバネ７による付勢力に抗して操作部材４を第一の位置から途中位置まで引き寄せる。操作部材４を第一の位置から途中位置まで引くことによって、フォロアー部３１が揺動カム５のカム面によって押され、下側の掴み歯３はバネ７の付勢力に抗して閉じ方向に回動していく。このように操作部材４が第一の位置から途中位置まで移動することに伴って、揺動カム５は反時計回りに回転し、下側の掴み歯３は閉じ方向に回動する。従って、操作部材４が第一の位置から途中位置まで移動する間、下側の掴み歯３の連結孔３４と揺動カム５の連結孔５５との間の距離が徐々に小さくなって、バネ７のアーム角は徐々に減少し、バネ７は圧縮していく。尚、操作部材４が第一の位置から途中位置まで移動することで下側の掴み歯３はその許容回動範囲のうち半分を越えて閉じ方向に回動する。
【００４４】
操作部材４を引いて途中位置まで移動させると、図２の境界状態となる。そして、操作部材４を途中位置よりも第二の位置側に僅かに移動させると、バネ７は揺動カム５を反時計回りに付勢し始める。従って、途中位置を越えて操作部材４を引き操作することは不要となり、バネ７の付勢力によって揺動カム５は自動的に反時計回りに回動し、操作部材４は自動的に後側に移動する。従って、使用者は操作部材４を第一の位置から途中位置まで引き操作すれば足り、その後は引き操作を行う必要がない。但し、使用者が補助的に軽い力で操作部材４を引いて操作部材４の第二の位置側への移動を手助けしてもよい。
【００４５】
揺動カム５が反時計回りに回動することでフォロアー部３１が揺動カム５の第二カム面５３上を摺動し、第二カム面５３の半径が徐々に大きくなっていくことで、下側の掴み歯３はバネ７の付勢力に抗して閉じ方向に回動して図３のような閉状態となる。また、揺動カム５が反時計回りに回動することで操作部材４は自動的に第二の位置まで移動する。このように操作部材４を途中位置まで引き操作することで自動的に一対の掴み歯２，３が閉状態となり、一対の掴み歯２，３で魚の口の下顎を狭持することができる。
【００４６】
図３の閉状態は魚の口の例えば下顎を掴んだ状態である。その閉状態において下側の掴み歯３が開き方向に回動しようとしても、下側の掴み歯３のフォロアー部３１が揺動カム５の第二カム面５３を第二の回動支軸２１に向けて略径方向に押すことになるので、下側の掴み歯３のフォロアー部３１と揺動カム５の第二カム面５３とが互いに突っ張った状態となり、下側の掴み歯３は開き方向に回動することができない。従って、魚の口を掴んだ状態で魚が暴れたりしても下側の掴み歯３は回動せず一対の掴み歯２，３は閉じた状態を維持する。そのため使用者は、操作部材４を引き続ける必要がなく、ロックピン等のロック手段も不要である。また、バネ７によって揺動カム５が反時計回りの回転力を与えられていることから、操作部材４も第二の位置側に付勢されており、操作部材４が使用者の意思に反して前側に勝手に移動することはなく、第二の位置に位置し続ける。
【００４７】
尚、図４のように閉状態の魚掴み器を水平な場所に載置した場合、その載置面１００には前後二箇所で接地することになる。前側の接地箇所は下側の掴み歯３であり、後側の接地箇所は把持部１２の後端部である。そして、載置面１００に前後二箇所で接地したとき、魚掴み器は全体として上側に湾曲した形状となっており、操作部材４は載置面１００から上側に離間した状態となる。そのため操作部材４に他の部材が当たりにくく、閉状態が維持される。
【００４８】
図３の閉状態から図１の開状態に移行する場合、即ち、一対の掴み歯２，３で魚の口を掴んだ状態から魚を解放する場合には、把持部１２を把持した例えば右手の親指で操作部材４の突出部４５の後面４５ａを前側に押す。操作部材４を押して第二の位置から途中位置まで前進させるが、その間は、揺動カム５がバネ７によって反時計回りの付勢力を受けていて操作部材４が第二の位置側に付勢されているので、そのバネ７による付勢力に抗して操作部材４を第二の位置から途中位置まで押すことになる。
【００４９】
操作部材４を第二の位置から前側に押すことで、下側の掴み歯３の回動規制が解除され、下側の掴み歯３はバネ７の付勢力によって開き方向に回動していく。そして、操作部材４が途中位置を前側に越えると、バネ７が揺動カム５を時計回りに付勢し始めるので、その後は揺動カム５は自動的に時計回りに回動して操作部材４は自動的に第一の位置に到達する。この場合も補助的に親指で操作部材４を軽く押してもよい。
【００５０】
図１の開状態ではバネ７が揺動カム５に時計回りの付勢力を付与していて操作部材４が第一の位置側に付勢された状態にある。そのため、操作部材４から手を離しても操作部材４はそのまま第一の位置に位置し続ける。従って、使用者は開状態を維持するために操作部材４を前側に押し続ける必要がなく、魚の口から一対の掴み歯２，３を容易に抜いて外すことができる。また、一対の掴み歯２，３をそのまま開いた状態としておくこともでき、次に釣り上げた魚の口に上側の掴み歯２を差し込む場合も、操作部材４を前側に押し続ける必要がなく、差し込む作業に専念できる。
【００５１】
以上のように、操作部材４の第一の位置と第二の位置との間の途中位置を境にしてバネ７の付勢方向が第一の位置側から第二の位置側へと反転するので、第一の位置から第二の位置までの全区間において使用者がバネ７の付勢力に抗して操作部材４を移動操作する必要がない。途中位置からバネ７の付勢方向が反転して操作に要する力が不要又は減少するので、楽に操作を行うことができる。しかも、使用者がバネ７の付勢力に抗して操作部材４を第一の位置や第二の位置に保持し続ける必要がなく、操作部材４から手を離すことができる。このように使用者は、操作部材４を第一の位置や第二の位置に保持することから解放されることになる。更に、一対の掴み歯２，３を開状態にしたり閉状態にしたりするためには、使用者が自らの意思で操作部材４を途中位置まで操作することが必要であるため、使用者の意思に反してバネ７が勝手に一対の掴み歯２，３を閉じたり開いたりするということがなく、操作の確実性が担保される。特に、釣りの現場で手が濡れていて滑りやすいような状況や暗い状況において効果が大きい。
【００５２】
また、バネ７が捻りバネであるため、相対的に回動する部材間に配置しやすく、付勢方向をスムーズに反転させることができる。特に、バネ７の第一のアーム７１の先端部７１ａと第二のアーム７２の先端部７２ａがそれぞれ下側の掴み歯３と揺動カム５に回動可能に連結されているので、バネ７が第一のアーム７１の先端部７１ａや第二のアーム７２の先端部７２ａを支点として回動でき、スムーズな反転動作が可能になる。更に、可動歯である下側の掴み歯３と揺動カム５との間にバネ７が介在されていて、下側の掴み歯３をバネ７が開き方向に付勢する構成となっているので、一つのバネ７で操作部材４を付勢すると共に下側の掴み歯３も付勢することができる。
【００５３】
また、操作部材４を手前に引くことで閉状態となるので、一般的な鋏を操作する感覚に近く、自然な操作が可能になる。しかも、把持部１２を把持した手で操作部材４を操作できるので片手操作が可能である。また、把持部１２を把持した手の人差し指で操作部材４の引き操作を行い、同じ手の親指で操作部材４の押し操作を行うことができるので、スムーズに且つ簡単に操作部材４を操作して一対の掴み歯２，３を開いたり閉じたりすることができる。
【００５４】
また、操作部材４が入力側であって下側の掴み歯３が出力側であり、操作部材４が第二の位置に位置する状態では下側の掴み歯３は開き方向への回動が規制されている。即ち、閉状態における下側の掴み歯３に開き方向の外力が作用しても、下側の掴み歯３のフォロアー部３１が揺動カム５の第二カム面５３を第二の回動支軸２１側に向けて押すことになって、下側の掴み歯３と揺動カム５とが互いに突っ張った状態となるので、下側の掴み歯３は開き方向には回動できない。このように入力側である操作部材４が操作されない限り、出力側である下側の掴み歯３は開き方向には回動できず、回動が規制された状態となる。そのため、魚が暴れたとしても、一対の掴み歯２，３は確実に魚の口を掴み続けることになる。そして、操作部材４が第一の位置に向けて操作されることによって初めて下側の掴み歯３の開き方向への回動規制が解除される。即ち、操作部材４が第一の位置に向けて操作されることによって揺動カム５が時計回りに回動し、揺動カム５が時計回りに回動することによって下側の掴み歯３が開き方向に回動できるようになる。そのため使用者の意思に反して下側の掴み歯３が勝手に開くということがない。
【００５５】
また、操作部材４がリンク機構によって前側に移動するので、従来のような長孔を用いたスライド機構に比して塩がみが発生しにくく、操作部材４の移動動作がスムーズ且つ確実なものとなる。しかも、リンク機構が近似直線運動機構であって操作部材４の操作部４１が前後方向に近似的に直線運動を行うので、把持部１２を把持した手で引き操作と押し操作を直線的に行うことができて、操作がより一層スムーズになる。
【００５６】
＜第二の実施形態＞
第一の実施形態では、操作部材４の操作部４１を親指で押す構成であったが、中指等の他の指で操作部４１を押す構成としてもよい。第二の実施形態における魚掴み器を図６〜図８に示している。第一の実施形態と共通の構成についてはその説明を省略する。第二の実施形態における魚掴み器は第一の実施形態の魚掴み器から操作部４１の構成が変更されている。図６〜図８はそれぞれ図１〜図３に対応した図である。尚、図６〜図８においてバネ７は模式的に示している。第二の実施形態における魚掴み器では、操作部４１の上部が本体１から上側に突出せず、操作部４１の全体が本体１の後側主部１１の下側に位置する。そして、指環部４３の後面には後側に向けて先細り状に突出した指当て突起４６が形成されている。指当て突起４６は指環部４３の後面の下部に形成されていて、該指当て突起４６の上面と指環部４３の後面が、把持部１２を把持した手の指で押し操作を行うための押し部として構成されている。
【００５７】
そして、図８のような閉状態において、把持部１２を把持した手の人差し指を指掛け孔４２に入れた状態で、更にその手の例えば中指を指環部４３の後面と指当て突起４６の上面に当接させて、人差し指と中指で操作部４１を前側に向けて押し操作することができる。このように操作部４１の形状は種々変更可能である。操作部４１に指掛け孔４２を設けるのではなく、例えば、操作部４１に下側に延びたトリガを設けてそのトリガの前面を指掛け部として構成すると共にトリガの後面を押し部として構成してもよい。また、図６〜図８に示した構成では、図１〜図３に示した構成に比して後リンク６の長さが長くなっている。このように後リンク６の長さを種々変更することで、操作部４１の軌跡を調整できる。
【００５８】
＜第三の実施形態＞
図９〜図１２に第三の実施形態における魚掴み器を示している。図９は操作部材４が第二の位置に位置するときの状態を示しており、図１２は操作部材４が第一の位置に位置するときの状態を示しており、図１０は操作部材４が第一の位置と第二の位置との間の途中位置に位置するときの状態を示しており、図１１は操作部材４が途中位置と第一の位置との間に位置する状態を示している。第三の実施形態の魚掴み器は、第一の実施形態の魚掴み器とは、下側の掴み歯３、揺動カム５及びバネ７の構成が異なっている。
【００５９】
第三の実施形態において、下側の掴み歯３の延伸腕部３２の先端部に第二のフォロアー部３６が形成されている。揺動カム５のカム部５０は、第二の回動支軸２１から全体として径方向に延びていて、下側の掴み歯３のフォロアー部３１と第二のフォロアー部３６との間に入り込む形状となっている。揺動カム５のカム面は、周方向の中央部に第二カム面５３が形成され、該第二カム面５３を中心として正面視において反時計回りの位置に第一カム面５２が形成され、第二カム面５３を中心として正面視において時計回りの位置に第三カム面５６が形成されている。
【００６０】
バネ７の第一のアーム７１の先端部７１ａと第二のアーム７２の先端部７２ａは同一方向に折り曲げられていて何れも左右方向の奥側を向いている。バネ７の第一のアーム７１の先端部７１ａは下側の掴み歯３の歯主部３０の基端部に形成された連結孔３４に挿入されており、バネ７の第二のアーム７２の先端部７２ａは揺動カム５の第三カム面５６の近傍に形成された連結孔５５に挿入されている。尚、揺動カム５の連結孔５５と第二の回動支軸２１と第一の連結支軸２２は一直線状には位置せず、揺動カム５の連結孔５５は、第二の回動支軸２１と第一の連結支軸２２とを結ぶ直線の延長線上に対して正面視において反時計回りに位置ずれしている。そして、バネ７は下側の掴み歯３を常に閉じ方向に付勢している。
【００６１】
図９の閉状態から図１２の開状態までの各部の動作を説明する。図９において操作部材４は第二の位置に位置している。バネ７は揺動カム５を反時計回りに付勢しており、従って、操作部材４はバネ７によって第二の位置側に付勢されている。下側の掴み歯３のフォロアー部３１は揺動カム５の第二カム面５３に当接している。揺動カム５はバネ７によって付勢されて反時計回りに回動しようとしているため、フォロアー部３１が揺動カム５の第二カム面５３に押されて下側の掴み歯３は閉じ方向に付勢されている。そして、下側の掴み歯３に開き方向の外力が作用しても、下側の掴み歯３のフォロアー部３１が揺動カム５の第二カム面５３を第二の回動支軸２１に向けて略径方向に押すことになるので、下側の掴み歯３のフォロアー部３１と揺動カム５の第二カム面５３とが互いに突っ張った状態となり、下側の掴み歯３は開き方向に回動することができない。即ち、下側の掴み歯３は開き方向の回動が規制された状態にある。尚、下側の掴み歯３の第二のフォロアー部３６は揺動カム５から離間している。
【００６２】
図９の状態から下側の掴み歯３を開く場合、操作部材４を前側に移動させる。図９の状態から操作部材４を前側に所定距離移動させた状態を図１０に示している。操作部材４を第二の位置から前側に押すと、揺動カム５が時計回りに回動する。下側の掴み歯３はバネ７によって閉じ側に付勢されているので、揺動カム５の第二カム面５３はフォロアー部３１から離間する。従って、下側の掴み歯３の回動規制が解除される。但し、バネ７が下側の掴み歯３を閉じ側に付勢しているので、下側の掴み歯３は閉状態を維持する。
【００６３】
図１０の状態は操作部材４が第二の位置と第一の位置との間の途中位置に位置している状態であり、バネ７の付勢方向が反転するときの境界状態である。図１０においてバネ７は最も圧縮された状態にある。第一のアーム７１の先端部７１ａ（連結孔３４）と第二のアーム７２の先端部７２ａ（連結孔５５）と第二の回動支軸２１は一直線状に位置する。そのため、境界状態では、バネ７は揺動カム５を第二の回動支軸２１に向けて押すことになって揺動カム５に回転力を与えない。従って、境界状態においては操作部材４はバネ７によって第一の位置側、第二の位置側の何れにも付勢されない。尚、図１０の境界状態でも下側の掴み歯３の第二のフォロアー部３６は揺動カム５から離間している。即ち、下側の掴み歯３と揺動カム５は互いに完全に離間した状態にある。
【００６４】
図１０の境界状態を境にして、操作部材４が揺動カム５を介してバネ７から付勢される方向が逆転する。即ち、図１０の状態から操作部材４が前側に移動して揺動カム５が時計回りに回動すると、バネ７は揺動カム５を時計回りに付勢し、その結果、操作部材４は第一の位置側に付勢されることになる。図１０の状態から揺動カム５が時計回りに所定角度回転すると、やがて揺動カム５の第三カム面５６が、停止状態にある下側の掴み歯３の第二のフォロアー部３６に下側から当接する。その状態を図１１に示している。図１１の状態は図１０の状態よりも操作部材４が第一の位置側に移動した状態である。揺動カム５はバネ７によって時計回りに付勢されているので、そのバネ７の付勢力によって第三カム面５６が第二のフォロアー部３６を下側から押し上げ、それによって下側の掴み歯３は開き始める。尚、下側の掴み歯３はバネ７の第一のアーム７１から閉じ側に付勢されているが、揺動カム５が第二のフォロアー部３６を押し上げる回転力の方が大きいことから、下側の掴み歯３は第一の回動支軸２０を支点として反時計回りに回動することになる。
【００６５】
そして、バネ７の付勢力によって揺動カム５が時計回りに回動していくことに伴って、第二のフォロアー部３６が第三カム面５６によって押され続けて、下側の掴み歯３は反時計回りに回動する。即ち、下側の掴み歯３は開き方向に回動して、やがて図１２に示すような全開の状態である開状態となる。この図１２の状態では、操作部材４は第一の位置に位置しており、バネ７が揺動カム５を時計回りに付勢していることから、操作部材４は揺動カム５を介してバネ７によって第一の位置側に付勢されている。また、下側の掴み歯３のフォロアー部３１が揺動カム５の第一カム面５２に係合した状態となり、フォロアー部３１は第一カム面５２に当接した状態となる。揺動カム５はバネ７によって時計回りに付勢されているため時計回りに回動しようとしているが、第二のフォロアー部３６が第三カム面５６によって押し上げられていて下側の掴み歯３が反時計回りに回動しようとしている。そのため、揺動カム５は下側の掴み歯３によって回動を阻止されていてそれ以上時計回りに回動できない。
【００６６】
この第三の実施形態における魚掴み器にあっては、操作部材４を第二の位置から図１１に示す位置まで移動させても一対の掴み歯２，３は閉状態が維持されている。従って、魚の口を掴んだ状態において仮に誤って操作部材４に手が触れたりして操作部材４が前側に僅かに押されたりしても、一対の掴み歯２，３は閉状態を維持する。そして、図１１のようにバネ７の付勢力が反転した後に揺動カム５が下側の掴み歯３を開き側に押し始める。
【００６７】
尚、図１０や図１１の状態では下側の掴み歯３の回動規制は解除されているため、下側の掴み歯３は開き方向に回動することは可能である。そのため下側の掴み歯３に開き側の外力が作用すると下側の掴み歯３は開き側に回動するが、フォロアー部３１と第二カム面５３との間の離間距離は僅かであり、フォロアー部３２１が第二カム面５３に当接するとそれ以上下側の掴み歯３は開き側に回動できない。このように下側の掴み歯３は開き側に僅かに回動できるもののそれ以上の開き側への回動は揺動カム５によって規制される。
【００６８】
＜第四の実施形態＞
また、一対の掴み歯２，３の開閉動作と操作部材４の移動動作とを連動させる伝動機構についても種々変更してよく、上記実施形態では、伝動機構として四節リンク機構とカム機構を備えた構成であったが、例えば、図１３及び図１４のようにラックアンドピニオンを備えた構成としてもよい。図１３は図１に対応した開状態を示し、図１４は図３に対応した閉状態を示している。
【００６９】
本体１は前後方向に沿って直線状に延びている。下側の掴み歯３は、第一の回動支軸２０を屈曲部としてＬ字状に形成されていて前側に延びる歯主部３０と該歯主部３０の後端部から上側に屈曲して延びる駆動腕部３５とを備えており、屈曲部近傍に第一の回動支軸２０が設けられている。駆動腕部３５は歯主部３０に比して短い。第一の回動支軸２０は図１４のような閉状態において一対の掴み歯２，３の中心線に対して下側にオフセットされている。一対の掴み歯２，３は閉状態において本体１の上下方向の中心線（幅方向の中心線）に対して上下対称関係にあって、一対の掴み歯２，３の先端部２ａ，３ａ同士の当接箇所は本体１の中心線上に位置している。この本体１の中心線に対して第一の回動支軸２０は下側にオフセット配置されている。そのため、閉状態においては下側の掴み歯３の先端部３ａには後側に向かう分力が働き、魚の口を後側に引き寄せるようにして挟むことができる。
【００７０】
下側の掴み歯３の駆動腕部３５の先端部に第一の連結支軸２２を介して駆動リンク８０の前端部が回動可能に連結されている。駆動リンク８０は図１４のような閉状態においては前後方向に水平に延びている。駆動リンク８０の後端部は第二の連結支軸２３を介してピニオンギア８１と回動可能に連結されている。ピニオンギア８１は本体１に第二の回動支軸２１によって回転可能に支持されている。第二の回動支軸２１は本体１の中心線上に位置している。図１４の閉状態において、一対の掴み歯２，３の先端部２ａ，３ａ同士の当接箇所と、第一の連結支軸２２と、第二の連結支軸２３と、第二の回動支軸２１は、前後方向に一直線状に並んでいて本体１の中心線上に位置している。また、閉状態において、第一の回動支軸２０と第一の連結支軸２２とを結ぶ直線と、第一の連結支軸２２と第二の連結支軸２３とを結ぶ直線とは、直角の関係になる。
【００７１】
操作部材４は、ピニオンギア８１と噛合するラック４７を備えている。ラック４７はピニオンギア８１の下側に位置していて、ラック４７の下側にはローラ８２が配置されている。ローラ８２は本体１に支持されていて左右方向の軸線まわりに回転する。ローラ８２とピニオンギア８１との間にラック４７が上下に挟み込まれるように位置している。操作部材４は、本体１に前後方向にスライド可能に支持されていて、前後に直線運動する。本体１の後部には左右方向に貫通した逃げ孔１４が形成されていて、操作部材４の後部には指掛け孔４２が形成されており、本体１の逃げ孔１４の範囲内で操作部材４の指掛け孔４２が前後に移動できる。そして、操作部材４の指掛け孔４２に人差し指等を入れて後側への引き操作と前側への押し操作の双方を行うことができる。また、例えば人差し指と中指等、二本の指を指掛け孔４２に入れて操作することができる。
【００７２】
バネ７は、ピニオンギア８１と本体１との間に配置されている。バネ７の第一のアーム７１の先端部７１ａは本体１の連結孔１５に差し込まれて本体１に回動可能に支持されており、バネ７の第二のアーム７２の先端部７２ａはピニオンギア８１の周縁部の連結孔８３に差し込まれてピニオンギア８１に回動可能に支持されている。図１３の閉状態から図１４の開状態とする場合、操作部材４を図１３の第一の位置から図１４の第二の位置まで後退させる。その操作部材４の後退動作に伴ってピニオンギア８１が反時計回りに回転し、バネ７は第一のアーム７１の先端部７１ａ（本体１の連結孔１５）を支点として時計回りに回動する。
【００７３】
図１４における閉状態では、駆動リンク８０は前後に水平姿勢となって本体１の中心線上に位置し、第一の連結支軸２２と第二の回動支軸２１と第二の連結支軸２３は一直線状に並ぶ。即ち、閉状態において駆動リンク８０は死点となる。そのため下側の掴み歯３に開き方向の外力が作用しても下側の掴み歯３は回動せず、下側の掴み歯３の回動は規制された状態となる。その状態から操作部材４を前進させると、ピニオンギア８１は時計回りに回転して、下側の掴み歯３の回動規制が解除され、下側の掴み歯３は開き方向に回動できる。バネ７は、図１０の状態から図１４の状態までの間の途中で付勢方向を反転させる。図示しないが、バネ７の第一のアーム７１の先端部７１ａ（本体１の連結孔１５）と第二のアーム７２の先端部７２ａ（ピニオンギア８１の連結孔８３）と第二の回動支軸２１とが一直線状に位置したときの状態が境界状態であって、その状態を境にしてバネ７の付勢方向が反転する。図１３の開状態では、バネ７はピニオンギア８１に時計回りの付勢力を付与しており、操作部材４は前側に付勢されている。即ち、操作部材４は第一の位置側に付勢されており、下側の掴み歯３は駆動リンク８０を介して開き方向に付勢されている。一方、図１４の閉状態では、バネ７はピニオンギア８１に反時計回りの付勢力を付与しており、操作部材４は後側に付勢されている。即ち、操作部材４は第二の位置側に付勢されている。尚、図１３及び図１４ではラックアンドピニオン機構を採用したが、これに代えてリンク機構を採用してもよく、種々の変更が可能である。
【００７４】
＜その他の実施形態＞
また、バネ７は捻りバネ以外の種々のバネ７であってよく、例えば軸線方向（中心線方向）に伸張、圧縮する円筒状のコイルバネであってもよい。また、上記実施形態ではバネ７が揺動カム５やピニオンギア８１を介して操作部材４を付勢する構成であったが、バネ７が操作部材４を直接付勢する構成であってもよい。第一の位置から途中位置までの区間の全体に亘ってバネ７が操作部材４を第一の位置側に付勢することが好ましいが、例えば第一の位置では付勢力が０となっていてもよい。また、第二の位置から途中位置までの区間の全体に亘ってバネ７が操作部材４を第二の位置側に付勢することが好ましいが、例えば第二の位置では付勢力が０となっていてもよい。
【００７５】
また、閉状態において下側の掴み歯３の開き方向の回動を規制する構成も適宜変更可能であって種々の構成を採用でき、入力側である操作部材４を操作しない限り出力側である下側の掴み歯３の回動が規制される構成であればよい。また更に、上記実施形態では一対の掴み歯２，３のうち下側の掴み歯３を可動歯として上側の掴み歯２を固定歯としたが、逆の構成であってもよいし、一対の掴み歯２，３の双方を可動歯として構成してもよい。また、可動歯の動作は回動動作ではなく平行移動等の動作であってもよい。
【００７６】
把持部１２の形状も種々であってよく、把持部１２が本体１に対して後側に向けて延びていたり後側且つ下側に傾斜しつつ延びていたりする他、把持部１２が本体１から下側に向けて延びているガングリップ形状であってもよい。
【符号の説明】
【００７７】
１    本体
２    上側の掴み歯
２ａ  先端部
３    下側の掴み歯
３ａ  先端部
４    操作部材
５    揺動カム
６    後リンク
７    バネ
８    基準線
１０    前側主部
１１    後側主部
１２    把持部
１３    膨出部
１４    逃げ孔
１５    連結孔
２０    第一の回動支軸
２１    第二の回動支軸
２２    第一の連結支軸
２３    第二の連結支軸
２４    第三の回動支軸
３０    歯主部
３１    フォロアー部
３２    延伸腕部
３３    ストッパー突部
３４    連結孔
３５    駆動腕部
３６    第二のフォロアー部
４０    連結腕部
４１    操作部
４２    指掛け孔
４３    指環部（指掛け部）
４４    上方延在部
４５    突出部
４５ａ  後面（押し部）
４６    指当て突起
４７    ラック
５０    カム部
５１    リンク部
５２    第一カム面
５３    第二カム面
５４    頂上部
５５    連結孔
５６    第三カム面
７０    円筒部
７１    第一のアーム
７１ａ  先端部
７２    第二のアーム
７２ａ  先端部
８０    駆動リンク
８１    ピニオンギア
８２    ローラ
８３    連結孔
１００  載置面
【図１】
2018186791.tif 000003
【図２】
2018186791.tif 000004
【図３】
2018186791.tif 000005
【図４】
2018186791.tif 000006
【図５】
2018186791.tif 000007
【図６】
2018186791.tif 000008
【図７】
2018186791.tif 000009
【図８】
2018186791.tif 000010
【図９】
2018186791.tif 000011
【図１０】
2018186791.tif 000012
【図１１】
2018186791.tif 000013
【図１２】
2018186791.tif 000014
【図１３】
2018186791.tif 000015
【図１４】
2018186791.tif 000016